(57)【要約】【課題】部屋の片隅や押入れなどに収納可能な組立式のサウナを提供することを課題とする。【解決手段】折り畳み自在に構成されたベース部材２と、該ベース部材２の身体の挿入方向と直交する方向の両側端部に着脱自在に取り付けて、該ベース部材２の上方をカバーするカバー部材３と、該ベース部材２の身体の挿入方向奥側の端部と、該カバー部材３の身体の挿入方向奥側の端部とに着脱自在に取り付けて、該ベース部材２と該カバー部材３との間に形成される身体の挿入方向奥側の開口を塞ぐ閉塞部材４と、を備えた組立式サウナ１であって、前記カバー部材３の、身体の挿入方向と直交する方向の両側部に、マイナスイオンを発生する鉱物を混入したシート状部材３１・３１・・・を取り付けるとともに、その間の中央部にヒータ３２・３２・・・を取り付ける。【選択図】　図１
2004121304.tif 000002
【特許請求の範囲】
【請求項１】
折り畳み自在に構成されたベース部材と、
該ベース部材の身体の挿入方向と直交する方向の両側端部に着脱自在に取り付けて、該ベース部材の上方をカバーするカバー部材と、
該ベース部材の身体の挿入方向奥側の端部と、該カバー部材の身体の挿入方向奥側の端部とに着脱自在に取り付けて、該ベース部材と該カバー部材との間に形成される身体の挿入方向奥側の開口を塞ぐ閉塞部材と、
を備えた組立式サウナであって、
前記カバー部材に、マイナスイオンを発生する鉱物を混入したシート状部材と、ヒータとを取り付けたことを特徴とする組立式サウナ。
【請求項２】
前記カバー部材を少なくとも２分割して構成し、隣り合うもの同士を互いに着脱自在に構成したことを特徴とする請求項１に記載の組立式サウナ。
【請求項３】
前記ベース部材に、マイナスイオンを発生する鉱物を混入したシート状部材を取り付けたことを特徴とする請求項１、又は請求項２に記載の組立式サウナ。
【請求項４】
前記ベース部材の身体の挿入方向奥側に、芳香材を配置したことを特徴とする請求項１から請求項３の何れか一項に記載の組立式サウナ。
【請求項５】
前記マイナスイオンを発生する鉱物は、ゲルマニウム、セレニウム、トルマリン石、貴陽石、麦飯石又は健緑石の何れか１種類の鉱物、あるいは２種類以上の鉱物であることを特徴とする請求項１から請求項４のうち何れか一項に記載の組立式サウナ。
【発明の詳細な説明】
【０００１】
【産業上の利用分野】
本発明は、組立式に構成されたサウナに関する。
【０００２】
【従来の技術】
近年、医療専門家の間では、ゲルマニウム（特に無機ゲルマニウム）からは恒常的にマイナスイオンが発生し、このマイナスイオンが健康増進に効果があることが報告されている。人間の体には生体電流という極微弱な電気が流れており、このバランスが崩れてプラスイオンが多くなると、肩・首・腰の凝りや膝などの痛みを引き起こすことが知られている。このプラスイオンをゲルマニウムから発生するマイナスイオンによって相殺し、生体電流を正常に戻すことで、凝りや痛みが解消されるのである。このようにマイナスイオンによる健康増進への効果に関心が高まっており、例えば、公開実用新案公報、昭６２−１１９９３１号には、ゲルマニウムの特性を利用したサウナが開示されている。
【０００３】
【特許文献１】
実開昭６２−１１９９３１号公報
【０００４】
前記公報におけるゲルマニウムサウナは、金属若しくは樹脂等で、所定形状に成型し、周壁を二重気密構造にして、内壁側に所定角度、所要数の噴出細孔を穿設、あるいは固着した各ノズルに配管したサウナ風呂本体に略中央に首出口を設け、後方に出入扉を開閉自在に遊着した本体を、ヒータ、与圧ポンプ、炉過器など必要機器をそれぞれ装着内蔵した台座上に搭載連結し、本体前方に固着した操作パネルに内蔵した各操作機器を浴槽内部から自在に操作できる構造である。
【０００５】
【発明が解決しようとする課題】
以上のような構成のゲルマニウムサウナはなかなか大型であり、設置するスペースを広く確保する必要があった。わが国のような住宅事情を鑑みると、このようなサウナ専用のスペースを確保するのは困難であり、なかなか家庭用には普及し難いという問題点が挙げられる。
そこで本発明では、このような点を鑑み、組立式のサウナを提供することを課題とする。
【０００６】
【課題を解決するための手段】
本発明の解決しようとする課題は以上の如くであり、次にこの課題を解決する健康器具を説明する。
まず、請求項１に記載のように、折り畳み自在に構成されたベース部材と、該ベース部材の身体の挿入方向と直交する方向の両側端部に着脱自在に取り付けて、該ベース部材の上方をカバーするカバー部材と、該ベース部材の身体の挿入方向奥側の端部と、該カバー部材の身体の挿入方向奥側の端部とに着脱自在に取り付けて、該ベース部材と該カバー部材との間に形成される身体の挿入方向奥側の開口を塞ぐ閉塞部材と、を備えた組立式サウナであって、前記カバー部材に、マイナスイオンを発生する鉱物を混入したシート状部材と、ヒータとを取り付ける。
【０００７】
また、請求項２に記載のように、前記カバー部材を少なくとも２分割して構成し、隣り合うもの同士を互いに着脱自在に構成する。
【０００８】
そして、請求項３に記載のように、前記ベース部材に、マイナスイオンを発生する鉱物を混入したシート状部材を取り付ける。
【０００９】
また、請求項４に記載のように、前記ベース部材の身体の挿入方向奥側に、芳香材を配置する。
【００１０】
また、請求項５に記載のように、前記マイナスイオンを発生する鉱物は、ゲルマニウム、セレニウム、トルマリン石、貴陽石、麦飯石又は健緑石の何れか１種類の鉱物、あるいは２種類以上の鉱物である。
【００１１】
【発明の実施の形態】
以下に、図面を参照しながら、本発明の実施の一形態を説明する。
図１は組立式サウナ１の身体の挿入方向手前側からの斜視図、図２は組立式サウナ１の身体の挿入方向奥側からの斜視図、図３はベース部材２の側面図であり（ａ）はベース部材２を展開した状態の側面図、（ｂ）はベース部材２を折り畳んだ状態の側面図である。図４はベース部材２の平面図、図５は芳香部材２５の平面図、図６は芳香部材２７の平面図、図７はカバー部材３の平面図、図８はカバー部材３の平面図、図９はベース部材２にカバー部材３を取り付けた状態を示す正面図、図１０は閉塞部材４の平面図、図１１は組立式サウナ１の身体の挿入方向手前側からの斜視図、図１２は組立式サウナ１の側面断面図、図１３は手袋５の平面図である。
【００１２】
図１及び図２に示すように、組立式サウナ１は、ベース部材２と、該ベース部材２の上方をカバーするカバー部材３と、該ベース部材２と該カバー部材３との間に形成される身体の挿入方向奥側の開口を塞ぐ閉塞部材４などから構成されている。
【００１３】
まず、ベース部材２から説明すると、図３の（ａ）（ｂ）に示すように、このベース部材２の本体はスポンジ等で形成された矩形の厚板状の部材で、折り畳み自在に構成されている。本実施例では、ベース部材２はその長手方向に対して折り畳み自在としているが、長手方向に折り畳み自在とするとともに短手方向にも折り畳み自在としてもよく、折り畳み方や折り畳む回数は特に限定はしない。
【００１４】
図４に示すように、ベース部材２の本体上面には、ゲルマニウムなどマイナスイオンを発生する鉱物を混入したシート状部材２１・２１・・・が接着され、または、焼き付けられ、若しくは、縫い付けられるなどして取り付けられて、その上から本体上面全面がアルミ箔などの反射部材２０で被装されている。このシート状部材２１・２１・・・の取り付け位置は、望ましくは、ベース部材２に身体１０を横たえたときに、背中や腰、太腿などが当たる位置に配置するとよいが、特に限定はしない。
また、ベース部材２には、前記シート状部材２１・２１・・・を取り付けずに、その表面をアルミ箔などの反射部材２０で被装しただけの構成としてもよい。
【００１５】
そうして、ベース部材２の身体の挿入方向奥側の端部には、アロマ油などの芳香剤を浸した芳香部材２５をセットするための矩形の置場２ｂが形成されている。
図５に示すように、芳香部材２５の本体はスポンジ等で矩形の板状に形成されて、該本体の表面には長手方向に数箇所、孔部が設けられて、該孔部にフェルト２６・２６・・・が埋設されている。本実施例では、フェルト２６・２６・・・は芳香部材２５の長手方向に３箇所配置されているが、その配置位置や配置数は特に限定するものではない。
【００１６】
このフェルト２６・２６・・・にアロマ油などの芳香剤を数滴浸して、芳香部材２５をベース部材２の置場２ｂにセットし、該置場２ｂの一端部に沿って取り付けられたメッシュ２９で該芳香部材２５の上方を被装するように構成されている。
なお、フェルト２６・２６・・・の替わりに、スポンジや紙等に芳香剤を浸して、前記の芳香部材２５の孔部に埋設してもよく、該芳香部材２５の孔部にセットされる芳香を発する被埋設体は特に限定はしないものとする。
【００１７】
あるいは、芳香部材２７は、図６に示すように構成されて、該芳香部材２７もベース部材２の置場２ｂにセット可能に構成されている。芳香部材２７は、中に芳香源２８が埋め込まれた芳香体２７Ｂが複数切り離し自在に連結された構成で、該芳香部材２７から芳香が発生しなくなったときには、該芳香部材２７自体を取り換える構成としている。
【００１８】
次に、カバー部材３について説明すると、図１に示すように、このカバー部材３はスポンジ等で形成された矩形の厚板状の部材で、前カバー部材３Ｆと中カバー部材３Ｍと後カバー部材３Ｒとに３分割して構成され、身体の挿入方向に互いに連結自在に構成されている。本実施例では、図７に示すように、カバー部材３は身体の挿入方向に完全に３分割して構成されているが、図８に示すように、３分割したカバー部材のうち、身体の挿入方向手前側の２枚のカバー部材３’Ｆ・３’Ｍは、その身体の挿入方向と直交する方向の一端部は切り離さずに構成するなどしてもよく、カバー部材３の分割構成や分割数は特に限定はしない。
なお、図８に示す構成のカバー部材３では、カバー部材３’Ｆ・３’Ｍが身体の挿入方向に対して折り畳み自在に構成される。
【００１９】
図７に示すように、各カバー部材３Ｆ・３Ｍ・３Ｒには、それぞれ身体の挿入方向と直交する方向の両側端部に係合部３ａ・３ａが形成され、各カバー部材３Ｆ・３Ｍ・３Ｒの係合部３ａ・３ａに対応させて、ベース部材２の身体の挿入方向と直交する方向の両側端部に被係合部２ａ・２ａ・・・（図３の（ａ）参照）が形成されている。
【００２０】
また、前カバー部材３Ｆと中カバー部材３Ｍについては、それぞれ身体の挿入方向奥側の端部にも係合部３ｂが形成されて、各カバー部材３Ｆ・３Ｍの係合部３ｂに対応させて、中カバー部材３Ｍと後カバー部材３Ｒには、それぞれ身体の挿入方向手前側の端部に被係合部３ｃが形成されている。
【００２１】
これらの係合部３ａ・３ａと被係合部２ａ・２ａ、及び係合部３ｂと被係合部３ｃは、本実施例では、図９に示すように、マジックテープ（登録商標）の接着部と被接着部とで構成しているが、ファスナーの噛合部と被噛合部などで構成してもよく、その構成は特に限定しない。
【００２２】
各カバー部材３Ｆ・３Ｍ・３Ｒの下面（内周面）には、それぞれ、身体の挿入方向と直交する方向の両側部に、ゲルマニウムなどマイナスイオンを発生する鉱物を混入したシート状部材３１・３１が接着され、または、焼き付けられ、若しくは、縫い付けられるなどして取り付けられるとともに、該シート状部材３１・３１の間の中央部にヒータ３２が取り付けられている。このヒータ３２は、例えば、屈曲自在な電熱線を縦横に張り巡らして構成されている。
【００２３】
なお、各カバー部材３Ｆ・３Ｍ・３Ｒの下面（内周面）には、略全域にわたってヒータを取り付け、その上からゲルマニウムなどマイナスイオンを発生する鉱物を混入したシート状部材を接着してもよく、前記シート状部材３１・３１、及びヒータ３２の配置構成は特に限定はしない。
【００２４】
そして、これらシート状部材３１・３１とヒータ３２の上から、各カバー部材３Ｆ・３Ｍ・３Ｒの下面（内周面）全面がアルミ箔などの反射部材３０で被装されている。
【００２５】
次に、閉塞部材４について説明すると、図２に示すように、この閉塞部材４はスポンジ等で形成された半円形の厚板状の部材で、ベース部材２の身体の挿入方向奥側の端部と、後カバー部材３Ｒの身体の挿入方向奥側の端部とに着脱自在に構成されている。
【００２６】
図１０に示すように、閉塞部材４の身体の挿入方向手前側の直線状の端部には係合部４ａが形成されて、該係合部４ａに対応させて、ベース部材２の身体の挿入方向奥側の端部に被係合部２ｃ（図３の（ａ）参照）が形成されている。また、閉塞部材４の身体の挿入方向奥側の円弧状の端部の中央付近に係合部４ｂが形成されて、該係合部４ｂに対応させて、後カバー部材３Ｒの身体の挿入方向奥側の端部の中央付近に被係合部３ｄ（図７参照）が形成されている。
【００２７】
これらの係合部４ａと被係合部２ｃ、及び係合部４ｂと被係合部３ｄも、本実施例では、マジックテープ（登録商標）の接着部と被接着部とで構成しているが、ファスナーの噛合部と被噛合部などで構成してもよく、その構成は特に限定しない。
【００２８】
以上、組立式サウナ１の構成部材であり、なお、前記のマイナスイオンを発生する鉱物は、ゲルマニウムのほか、セレニウム、トルマリン石、貴陽石、麦飯石又は健緑石などであてもよく、あるいは、これらの鉱物を２種類以上が用いられたものであってもよい。
【００２９】
次に、組立式サウナ１の組み立て方について説明する。
まず、ユーザはゲルマニウム、セレニウム、トルマリン石、貴陽石、麦飯石又は健緑石などマイナスイオンを発生する鉱物を混入したシート状部材２１・２１・・・が取り付けられたベース部材２、あるいは該シート状部材２１・２１・・・は取り付けられていないベース部材２の中から好みのベース部材２を選択し、該ベース部材２を水平面に敷く。
【００３０】
当然ながら、ゲルマニウム、セレニウム、トルマリン石、貴陽石、麦飯石又は健緑石などマイナスイオンを発生する鉱物を混入したシート状部材２１・２１・・・が取り付けられたベース部材２に比べて、シート状部材２１・２１・・・は取り付けられていないベース部材２の方が廉価で、コスト的にも有利であり、これらベース部材２・２・・・が取り換え自在に構成されている。
【００３１】
次に、ベース部材２における身体の挿入方向奥側の端部の置場２ｂに、前記芳香部材２５、又は芳香部材２７をセットする。そして、ベース部材２に後カバー部材３Ｒと中カバー部材３Ｍとを装着するとともに、該ベース部材２と該後カバー部材３Ｒとに閉塞部材４を装着する。さらに、図１１に示すようにして、ベース部材２に、前カバー部材３Ｆの身体の挿入方向と直交する方向の一端部を取り付け、この状態で、ユーザは、ベース部材２とカバー部材３Ｍ・３Ｒとの間に形成されたスペースにもぐり込んで、ユーザは自分自身で、前カバー部材３Ｆの身体の挿入方向と直交する方向の他端部を、ベース部材２に装着する。
【００３２】
そして、図１２示すように、前カバー部材３Ｆの身体の挿入方向手前側の端部に、マジックテープ（登録商標）などによってタオルケット３５の一端部を着脱自在に取り付けて、温室効果を高め、カバー部材３の内周面のヒータ３２をＯＮにする。
【００３３】
以上のような構成で、組立式サウナ１は容易に組み立てることができるとともに、容易に解体でき、部屋の片隅や押入れなどにコンパクトに収納することができる。また、マイナスイオンを発生する鉱物を混入したシート状部材２１・２１・・・、又は３１・３１・・・が嗅覚を通じて人体に効果的に作用し、これによりプラスイオンが過剰となる生体電流のバランスが整えられて、健康増進が図られる。
【００３４】
さらに、芳香部材２５又は２７が人体に効果的に作用し、ストレスなどが解消されて、アロマテラピー効果が図られる。また、ベース部材２、カバー部材３、閉塞部材４の表面に彩色を施すとよく、これにより視覚を通じて人体に効果的に作用し、自律神経が調整されるなどして、カラーテラピー効果が図られる。
【００３５】
次に、組立式サウナ１の付属品である手袋５について説明する。
図１３に示すように、この手袋５における指の挿入部分の表面などにマイナスイオンを発生する鉱物を混入したシート状部材５１・５１・・・が接着され、または、焼き付けられ、若しくは、縫い付けられるなどして取り付けられている。このマイナスイオンを発生する鉱物は、ゲルマニウム、セレニウム、トルマリン石、貴陽石、麦飯石又は健緑石の何れか１種類の鉱物、あるいは２種類以上の鉱物であり、該手袋５をユーザ自身が装着して自らの顔などに当てることにより、該鉱物からのマイナスイオンが人体に効果的に作用し、これによりプラスイオンが過剰となる生体電流のバランスが整えられて、健康増進が図られる。
【００３６】
なお、シート状部材５１・５１・・・の形状や取付位置は特に限定するものではない。また、シリコンゴムなどの樹脂にゲルマニウム、セレニウム、トルマリン石、貴陽石、麦飯石又は健緑石の何れか１種類の鉱物、あるいは２種類以上のマイナスイオンを発生する鉱物を含有させて、手袋を成形するなどとしてもよい。
【００３７】
【発明の効果】
本発明は、以上のように構成したので、次に示すような効果を奏する。
まず、請求項１に記載の発明によれば、組立式サウナは容易に組み立てることができるとともに容易に解体でき、部屋の片隅や押入れなどにコンパクトに収納することができる。また、マイナスイオンを発生する鉱物を混入したシート状部材が人体に効果的に作用し、これによりプラスイオンが過剰となる生体電流のバランスが整えられて、健康増進が図られる。
【００３８】
また、請求項２に記載のように、前記カバー部材を少なくとも２分割して構成し、隣り合うもの同士を互いに着脱自在に構成したことで、カバー部材を部屋の片隅や押入れなどにコンパクトに収納することができる。
【００３９】
そして、請求項３に記載のように、前記ベース部材に、マイナスイオンを発生する鉱物を混入したシート状部材を取り付けたことで、該シート状部材が人体に効果的に作用し、これによりプラスイオンが過剰となる生体電流のバランスが整えられて、健康増進が図られる。
【００４０】
また、請求項４に記載のように、前記ベース部材の身体の挿入方向奥側に、芳香材を配置したことで、該芳香部材が人体に効果的に作用し、アロマテラピー効果が図られる。
【００４１】
また、請求項５に記載のように、前記マイナスイオンを発生する鉱物は、ゲルマニウム、セレニウム、トルマリン石、貴陽石、麦飯石又は健緑石の何れか１種類の鉱物、あるいは２種類以上の鉱物であり、これらの鉱物からのマイナスイオンが人体に効果的に作用し、これによりプラスイオンが過剰となる生体電流のバランスが整えられて、健康増進が図られる。
【図面の簡単な説明】
【図１】組立式サウナ１の身体の挿入方向手前側からの斜視図。
【図２】組立式サウナ１の身体の挿入方向奥側からの斜視図。
【図３】ベース部材２の側面図。（ａ）ベース部材２を展開した状態の側面図。（ｂ）ベース部材２を折り畳んだ状態の側面図。
【図４】ベース部材２の平面図。
【図５】芳香部材２５の平面図。
【図６】芳香部材２７の平面図。
【図７】カバー部材３の平面図。
【図８】カバー部材３の平面図。
【図９】ベース部材２にカバー部材３を取り付けた状態を示す正面図。
【図１０】閉塞部材４の平面図。
【図１１】組立式サウナ１の身体の挿入方向手前側からの斜視図。
【図１２】組立式サウナ１の側面断面図。
【図１３】手袋５の平面図。
【符号の説明】
１　　組立式サウナ
２　　ベース部材
３　　カバー部材
３Ｆ　前カバー部材
３Ｍ　中カバー部材
３Ｒ　後カバー部材
４　　閉塞部材
１０　　身体
２０　　保温部材
２１　　シート状部材
２５　　芳香部材
２６　　フェルト
２７　　芳香部材
３１　　シート状部材
３２　　ヒータ
【図１】
2004121304.tif 000003
【図２】
2004121304.tif 000004
【図３】
2004121304.tif 000005
【図４】
2004121304.tif 000006
【図５】
2004121304.tif 000007
【図６】
2004121304.tif 000008
【図７】
2004121304.tif 000009
【図８】
2004121304.tif 000010
【図９】
2004121304.tif 000011
【図１０】
2004121304.tif 000012
【図１１】
2004121304.tif 000013
【図１２】
2004121304.tif 000014
【図１３】
2004121304.tif 000015